(57)【要約】本発明は、自己の結晶領域および非結晶領域の位置に関する状態情報を記憶した相変化型光記録担体（５５）上にデータを記録するための、光記録担体記録装置および方法に関するものである。記録担体上に異なる複数の書込速度で書込みを行えるようにするため、記録担体（５５）にデータを記録する書込手段（５４）は、異なる複数の書込モード間で切換可能とされる。記録装置（５）が高電力モードにあり（たとえば、電源コンセントから給電を受けており）、かつ記録担体（５５）上に利用可能な結晶領域（書込みがなされていない領域）があるときは、第１の書込モードが使用される。利用可能な結晶領域がないとき、または記録装置（５）が低電力モードにあるときには、好ましくは、より低速の書込速度を有する第２の書込モードが使用される。
2006520510.tif 000002
【特許請求の範囲】
【請求項１】
自己の結晶領域および非結晶領域の位置に関する状態情報を記憶した相変化型光記録担体上に、データを記録する光記録担体記録装置であって、
−  前記光記録担体上にデータを記録する書込手段と、
−  前記光記録担体から前記状態情報を読み出す読出手段と、
−  当該記録装置の電力モードに応じて、前記書込手段を、異なる書込速度を有する少なくとも２つの書込モードの間で切り換える切換手段であって、当該記録装置が高電力モードにあり、かつ前記記録担体上に利用可能な結晶領域があるときに、前記書込手段が、第２の書込モードよりも高速の書込速度を有する第１の書込モードへと切り換えられるような切換手段と、
−  前記データが記録される前記記録担体上のアドレスを制御するためのアドレス制御手段であって、前記第１の書込モードにおいて、前記データが結晶領域内のみに記録されるように、前記状態情報に基づいて、前記アドレスが制御されるようなアドレス制御手段とを含むことを特徴とする光記録担体記録装置。
【請求項２】
前記状態情報が、データが書き込まれている最も高位のアドレスを含んでいることを特徴とする請求項１記載の光記録担体記録装置。
【請求項３】
前記状態情報が、前記記録担体のすべての結晶領域および／またはすべての非結晶領域のアドレス、とりわけ前記記録担体のすべての論理ブロックの状態を包含した、アドレス表を含んでいることを特徴とする請求項１記載の光記録担体記録装置。
【請求項４】
前記アドレス制御手段が、前記記録担体上に記録されたデータを、該データのアドレスが最も低位となるように再割当てするようにされていることを特徴とする請求項１記載の光記録担体記録装置。
【請求項５】
前記書込手段が、再割当前における前記記録担体上に記録されたデータの最も高位のアドレスと、再割当後における前記記録担体上に記録されたデータの最も高位のアドレスとの間の領域をｄｃ消去し、該ｄｃ消去に対応させて前記状態情報を更新するようにされていることを特徴とする請求項４記載の光記録担体記録装置。
【請求項６】
前記書込手段が、前記記録担体上へのデータの書込みを、該記録担体の外側から開始するようにされていることを特徴とする請求項１記載の光記録担体記録装置。
【請求項７】
前記第２の書込モード中の光パワー制御のための通常のＯＰＣパラメータに加え、前記第１の書込モード中の光パワー制御のための追加のＯＰＣパラメータが、前記記録担体上に記憶されていることを特徴とする請求項１記載の光記録担体記録装置。
【請求項８】
前記切換手段が、供給されている電力から当該記録装置の前記電力モードを検出するように、または、当該記録装置の前記電力モードを識別する情報を受け取って評価するようにされていることを特徴とする請求項１記載の光記録担体記録装置。
【請求項９】
自己の結晶領域および非結晶領域の位置に関する状態情報を記憶した相変化型光記録担体上に、データを記録する光記録担体記録装置であって、
−  前記光記録担体上に角速度一定でデータを記録する書込手段と、
−  前記光記録担体から前記状態情報を読み出す読出手段と、
−  前記データが記録される前記記録担体上のアドレスを制御するためのアドレス制御手段であって、線速度が予め決められた閾値速度を超えるときには、前記データが結晶領域内のみに記録されるように、前記状態情報に基づいて、該データが記録される前記記録担体上のアドレスを制御するようにされているアドレス制御手段とを含むことを特徴とする光記録担体記録装置。
【請求項１０】
−  データを送受信するためのデータインターフェースと、
−  第１の電力供給モードにおける内部電力供給のためのバッテリーユニットと、
−  第２の電力供給モードにおける外部電力供給のため、外部の電力供給ユニットに接続するための電源用インターフェースと、
−  光記録担体上へのデータの記憶または光記録担体からのデータの読出しのための、請求項１から９いずれか１項記載の光記録担体記録装置とを含むことを特徴とする携帯型機器。
【請求項１１】
電話（とりわけ、携帯電話もしくはコードレス電話）、パームトップ型コンピュータ、ラップトップ型コンピュータ、デジタルカメラ、またはカムコーダーであることを特徴とする請求項１０記載の携帯型機器。
【請求項１２】
前記光記録担体記録装置がＳＦＦＯドライブであることを特徴とする請求項１０記載の携帯型機器。
【請求項１３】
自己の結晶領域および非結晶領域の位置に関する状態情報を記憶した相変化型光記録担体上に、データを記録する光記録担体記録方法であって、
−  前記光記録担体上にデータを記録する工程と、
−  前記光記録担体から前記状態情報を読み出す工程と、
−  記録装置の電力モードに応じて、異なる書込速度を有する少なくとも２つの書込モードの間で切換えを行う工程であって、前記記録装置が高電力モードにあり、かつ前記記録担体上に利用可能な結晶領域があるときに、前記記録装置が、第２の書込モードよりも高速の書込速度を有する第１の書込モードへと切り換えられる工程と、
−  前記データが記録される前記記録担体上のアドレスを制御する工程であって、前記第１の書込モードにおいて、前記データが結晶領域内のみに記録されるように、前記状態情報に基づいて、前記アドレスが制御される工程とを含むことを特徴とする光記録担体記録方法。
【請求項１４】
自己の結晶領域および非結晶領域の位置に関する状態情報を記憶した相変化型光記録担体上に、データを記録する光記録担体記録方法であって、
−  前記光記録担体上に角速度一定でデータを記録する工程と、
−  前記光記録担体から前記状態情報を読み出す工程と、
−  線速度が予め決められた閾値速度を超えるときには、前記データが結晶領域内のみに記録されるように、前記状態情報に基づいて、該データが記録される前記記録担体上のアドレスを制御する工程とを含むことを特徴とする光記録担体記録方法。
【請求項１５】
自己の結晶領域および非結晶領域の位置に関する状態情報を、光記録担体記録装置の読出手段により読み出されるように記憶した、データを記録する相変化型光記録担体であって、前記光記録担体記録装置がさらに、
−  当該光記録担体上にデータを記録する書込手段と、
−  前記記録装置の電力モードに応じて、前記書込手段を、異なる書込速度を有する少なくとも２つの書込モードの間で切り換える切換手段であって、前記記録装置が高電力モードにあり、かつ当該記録担体上に利用可能な結晶領域があるときに、前記書込手段が、第２の書込モードよりも高速の書込速度を有する第１の書込モードへと切り換えられるような切換手段と、
−  前記データが記録される当該記録担体上のアドレスを制御するためのアドレス制御手段であって、前記第１の書込モードにおいて、前記データが結晶領域内のみに記録されるように、前記状態情報に基づいて、前記アドレスが制御されるようなアドレス制御手段とを含むものであることを特徴とする相変化型光記録担体。
【請求項１６】
自己の結晶領域および非結晶領域の位置に関する状態情報を、光記録担体記録装置の読出手段により読み出されるように記憶した、データを記録する相変化型光記録担体であって、前記光記録担体記録装置がさらに、
−  当該光記録担体上に角速度一定でデータを記録する書込手段と、
−  前記データが記録される当該記録担体上のアドレスを制御するためのアドレス制御手段であって、線速度が予め決められた閾値速度を超えるときには、前記データが結晶領域内のみに記録されるように、前記状態情報に基づいて、該データが記録される当該記録担体上のアドレスを制御するようにされているアドレス制御手段とを含むものであることを特徴とする相変化型光記録担体。
【発明の詳細な説明】
【技術分野】
【０００１】
本発明は、相変化型光記録担体にデータを記録するための光記録担体記録装置および方法に関し、特にＳＦＦＯ（ｓｍａｌｌ  ｆｏｒｍ  ｆａｃｔｏｒ  ｏｐｔｉｃａｌ）ドライブ、さらには携帯電話またはパームトップ型コンピュータといったような携帯型機器にも関するものである。本発明はさらに、二速記録のために提供された光記録担体にも関するものである。
【背景技術】
【０００２】
好ましくは携帯機器内で使用されるＳＦＦＯドライブでは、ユーザーが異なる速度で（少なくとも低速および高速で）データを記録できるような、書換可能な相変化型光記録担体（ディスク）を有することが望ましい。低速の書込速度は、ドライブが低電力モードにあるとき（たとえば使用可能な電源コンセントがないとき）に使用可能であり、より電力消費量の多い高速記録モードは、ドライブが高電力モードにあるとき（たとえば外部電源に接続されているとき）に使用可能である。この高速記録モードによれば、ＰＣからＳＦＦＯドライブへと極めて速くファイルをダウンロードすることが可能となる。
【発明の開示】
【発明が解決しようとする課題】
【０００３】
相変化型ディスクは、優れた記録特性を有するように作製することが可能であるが、一般的には、設計された記録速度に対してのみ最適とされている。高速記録モードの導入は、一般的に、より速く結晶化する材料を必要とし、このより速く結晶化する材料は、より低い記録速度では適切に作用しない。換言すれば、相変化型ディスクの速度範囲は、低速記録モードと高速記録モードとの両方には十分な範囲ではない。
【０００４】
本発明の１つの目的は、少なくとも２つの異なる書込速度でのデータの記録を許容する光記録担体、および代替の光記録担体記録装置ならびに方法を提供することである。
【課題を解決するための手段】
【０００５】
本発明によれば、上記の目的は、請求項１に記載の、
−  光記録担体上にデータを記録する書込手段と、
−  光記録担体から状態情報を読み出す読出手段と、
−  当該記録装置の電力モードに応じて、上記の書込手段を、異なる書込速度を有する少なくとも２つの書込モードの間で切り換える切換手段であって、当該記録装置が高電力モードにあり、かつ記録担体上に利用可能な結晶領域があるときに、上記の書込手段が、第２の書込モードよりも高速の書込速度を有する第１の書込モードへと切り換えられるような切換手段と、
−  データが記録される記録担体上のアドレスを制御するためのアドレス制御手段であって、上記の第１の書込モードにおいて、データが結晶領域内のみに記録されるように、上記の状態情報に基づいて、アドレスが制御されるようなアドレス制御手段とを含む、光記録担体記録装置によって達成される。
【０００６】
対応の方法が、請求項１３において規定されている。また、対応の相変化型光記録担体が、請求項１５において規定されている。それらの好ましい実施形態は、各従属請求項において規定されている。
【０００７】
本発明は、空の（完全に結晶状態の）相変化型ディスク上には、相変化材料の結晶化速度よりもずっと高速の速度でデータの記録が可能であるという思想に基づいている。このことが可能なのは、相変化材料が、ただ溶融−急冷によって非結晶状態とされればよいだけであり、直接上書きのときのような結晶化が必要ないためである。相変化層への書込みのための適切な書込方式は、たとえば、欧州特許出願公開１１４３４２７Ａ２号に記載されている。
【０００８】
空の記録担体は完全に結晶状態であり、ユーザー領域の全体が、高速記録に利用可能である。本発明によれば、データが記録担体上に書き込まれる際、記録担体上の書込済領域（すなわち非結晶領域）と、書込みがなされていない領域（すなわち結晶領域）との、位置の記録をとることが提案される。この情報は、状態情報として記録担体上に記憶され、記録担体上にデータが記録されるたびに更新される。この状態情報は、主として、一般にデータの高速書込みが可能である高電力モードにおいて重要である。
【０００９】
記録担体上に、高速書込みに利用可能な記憶スペース（すなわち、少なくとも１つの結晶領域、あるいは書き込まれるべきすべてのデータを記憶するのに十分な結晶領域であってもよい）がある場合には、切換手段は、高電力モードにおいて、書込手段を高速書込モードへと切り換える。同時に、アドレス制御手段が、高速モードにおいてデータが結晶領域内のみに書き込まれるよう保障する。この領域が満杯であり、かつ記録されるべきデータがまだある場合には、残りのデータは非結晶領域内に記録されることになり、同時に、切換手段が、書込手段を切り換えて低速書込モードへと戻す。好ましくは、低速書込モードはまた、記録装置が低電力モードにある場合、たとえばバッテリーまたは蓄電池から給電を受けている場合にも、使用される。しかしながら、用途に応じて必要とされ、かつ必要な電力の供給が可能である（たとえば、バッテリーまたは蓄電池によって）限りにおいては、低電力モードにおいても、高速書込モードが使用されてもよい。
【００１０】
１つの好ましい実施形態によれば、単純に、記録担体上にデータが書き込まれている最も高位のアドレスが状態情報として記憶され、この最も高位のアドレスよりも低位のすべての領域は非結晶領域であり、この最も高位のアドレスよりも高位のすべての領域は完全に結晶領域であって高速書込みに利用可能であると想定される。したがって、高速書込モードが使用されるべき場合には、データは、もっぱら上記の最も高位のアドレスよりも高位に書き込まれる。一方、低速書込モードでは、データは、好ましくは上記の最も高位のアドレスよりも低位に記録される（すなわち、可能であれば、上記の最も高位のアドレスよりも低位の非結晶領域に記憶されているデータの中に、上書可能なデータが利用可能に存在すれば、そのデータが上書きされる）。そうでなければ、低速書込モードでも、上記の最も高位のアドレスよりも高位にデータが書き込まれる。
【００１１】
別の１つの実施形態によれば、状態情報は、より複雑なものとされ、すべての結晶領域および／またはすべての非結晶領域のアドレスを列挙したアドレス表を含むものとされ、とりわけ、記録担体のすべての論理ブロック（＝物理的な記録単位）と、対応の状態（すなわち、その論理ブロックが結晶状態であるか非結晶状態であるかの情報）とを列挙したものとされる。ＳＦＦＯディスク上に利用可能に存在する論理ブロックの量は少ないので、かかるアドレス表の記憶に必要とされるのは、４Ｋバイト未満である。
【００１２】
高速書込領域を可能な限り大きくすることを保障するため、別の１つの実施形態によれば、ファイルシステムのデフラグ（ｄｅｆｒａｇｍｅｎｔａｔｉｏｎ）手続きが、わずかに変更される。データは、そのアドレスが最も低位となり、システムの性能が最適となるように、再割当てされる。
【００１３】
さらなる１つの実施形態によれば、好ましくは上記のデフラグ工程の後、再割当前における記録担体上に記録されたデータの最も高位のアドレスと、再割当後における記録担体上に記録されたデータの最も高位のアドレスとの間の領域が、ＤＣ消去されてもよい（すなわち、結晶化状態とされてもよい）。その後、そのＤＣ消去に対応させて、状態情報が更新される。この手続きは、たとえば、記録装置のバッテリーが充電されなくてはならないときに行うことが可能である。これは、そのようなときには、どのみち十分な電力とアイドリング時間とが利用可能なためである。
【００１４】
本発明の１つの好ましい実施形態によれば、記録担体上へのデータの書込みは、記録担体の外側から開始される（すなわち、光ディスクが、通常のレイアウトとは逆に、ディスクの外側から内側へと走る逆螺旋を含むものとされる）。この場合には、書込みは常に、可能なディスク回転速度のうちの最低の回転速度、および記録装置の低電力モードにおいて有利な所与のデータレートで開始される。
【００１５】
好ましくは、第２の（低速の）書込モード中の光パワー制御のための通常のＯＰＣ（Ｏｐｔｉｃａｌ  Ｐｏｗｅｒ  Ｃｏｎｔｒｏｌ；光パワー制御）パラメータに加え、第１の（高速の）書込モードのためのＯＰＣパラメータが、記録担体上に付与される。ＯＰＣ手続きのための開始値は、好ましくは、リードイン領域の内側の区域内に書き込まれたディスク情報ブロック（ＤＩＢ）内に書き込まれる。このＤＩＢ内には、他のＯＰＣ手続きのためのＯＰＣパラメータを配するのにも利用可能なスペースがある。
【００１６】
記録装置が電源コンセントに接続されている場合には、低速記録に加えて高速記録が利用可能であり、両方のＯＰＣ手続きが実行される必要がある一方、低速モード中においては低速ＯＰＣ手続きのみが必要とされる。高速モードにおいては、結晶状態の相変化材料に高速で書き込む際のマージンがずっと大きいので、ＯＰＣ手続きが全く必要でないということすらあり得る。ＯＰＣ値を特定の高速記録速度にスケーリングする、標準的な「スケーリング」因子があれば十分である場合もある。
【００１７】
記録担体の外側から書込みが開始する実施形態、すなわち螺旋が逆とされた実施形態では、リードイン領域、したがってＯＰＣ領域もまた、記録担体の外側の半径位置にある。このこともまた、高速記録のＯＰＣ手続きにとって有利であり、電力消費量の面からも経済的である。さらに、ディスクの製造時において、高速記録モードで外側半径位置に大量のシステムデータおよびシステムソフトウェアを書き込むことは、極めて容易である。
【００１８】
別の１つの好ましい実施形態によれば、切換手段は、供給されている電力から記録装置の電力モードを検出するようにされるか、記録装置の電力モードを識別する情報を、（とりわけその記録装置が組み込まれている携帯型機器から）受け取って評価するようにされる。好ましくは、切換手段は、電源コンセントから給電を受けているときは、書込手段を第１の（高速の）書込モードに切り換え、バッテリーまたは蓄電池から給電を受けているときは、書込手段を第２の書込モードに切り換えるようにされる。
【００１９】
特にＳＦＦＯドライブについては、ドライブ内にＣＡＶ（Ｃｏｎｓｔａｎｔ  Ａｎｇｕｌａｒ  Ｖｅｌｏｃｉｔｙ；角速度一定）の概念が実装されるかもしれない。ストリーミング方式のアプリケーションにはＣＬＶ（Ｃｏｎｓｔａｎｔ  Ｌｉｎｅａｒ  Ｖｅｌｏｃｉｔｙ；線速度一定）が好ましいが、ドライブがデータドライブとして使用される場合には、ＣＡＶが好ましい動作モードである。ＣＡＶモードでは、トラックに沿った線速度は、６．０ｍｍの内半径と１４ｍｍの外半径とを有する１ＧＢのＳＦＦＯディスクの、内半径から外半径にかけて、２．３３倍に増加する。記録担体は、おそらくは辛うじてこの増加に対応することができるが、これらのより高速の速度でも適切な書込みができるように、十分感度の高いものでなくてはならない。この向上させられた感度は、データを消去することなく繰返しのデータ読出しを行うことを困難とさせ、特に、より低速の線速度時の内側半径位置においては確実に困難とさせる。しかしながら、高速適合性を有するディスクとするためには、ディスクをより感度の高いものとすることは必ずしも必要ではない。高速記録は結晶化速度よりも高速で行われるので、再結晶化は最小限に抑えられる。したがって、パルス書込方式に代えてブロック書込方式を用いることが可能であり、それにより、レーザーがより効率的に利用される。
【００２０】
ＳＦＦＯについても、１ＧＢのディスクと同一の内穴を有する、容量４．７ＧＢのディスクが考えられる。その場合、外半径は約２４ｍｍであり、このことは、内側における速度と外側における速度とが、４倍異なることを意味する。この場合、現在のところは、ＣＡＶモードにおけるこの線速度の広がりに対応できるような媒体を製造することは、確かに不可能である。
【００２１】
ＣＡＶモードを使用する場合において、線速度が大きすぎるときは、完全に初期化された（結晶化状態の）領域のみにデータが書き込まれるよう保障する光記録担体記録装置が、請求項９に規定されている。この装置は、
−  光記録担体上に角速度一定でデータを記録する書込手段と、
−  光記録担体から状態情報を読み出す読出手段と、
−  データが記録される記録担体上のアドレスを制御するためのアドレス制御手段であって、線速度が予め決められた閾値速度を超えるときには、データが結晶領域内のみに記録されるように、上記の状態情報に基づいて、データが記録される記録担体上のアドレスを制御するようにされているアドレス制御手段とを含む。
【００２２】
この実施形態によれば、記録担体の繰返しの読出しの安定性に関して問題を有することなく、より高速の記録速度が可能となる。さらに、適合化された書込方式が、好適に与えられる。かかる書込方式は、ディスクのそのときの位置における線速度と、その位置における状態情報（すなわち、その位置の材料が結晶状態であるか非結晶状態であるか）とに依存する。この実施形態の利点は、請求項１６に規定されている対応の記録担体の速度範囲が、激増させられる点である。
【００２３】
上記に述べたように、本発明に係る記録装置は、好ましくは、電話（とりわけ、携帯電話もしくはコードレス電話）またはパームトップ型コンピュータ（ＰＤＡ）といったような、携帯型機器内に適用される。さらに、本発明に係る記録装置は、好ましくはＳＦＦＯドライブとされる。光記録担体記録装置を含むさらなる携帯型機器としては、たとえば、デジタルカムコーダー、デジタルカメラ、ラップトップ型コンピュータ、サブラップトップ型コンピュータ、および手持型機器が挙げられる。
【発明を実施するための最良の形態】
【００２４】
以下、図面を参照して、本発明をより詳細に説明する。
【００２５】
図１は、本発明を実装可能な携帯型機器の一例としての、携帯電話１を示している。携帯電話１はデータバス２を含んでおり、このデータバス２には、無線接続または有線接続を介してデータを送受信するためのデータインターフェース３と、デジタル信号プロセッサ（ＤＳＰ）等のデータ処理手段４と、ＳＦＦＯドライブ５と、高周波モバイルデータ送受信用のデータ送受信ユニット６とが接続されている。携帯電話１はさらに、電源用インターフェース７を含んでおり、この電源用インターフェース７には、たとえば電源コンセントに接続されたＡＣ／ＤＣ電源アダプターといった、外部電源が接続可能である。さらに、電源用インターフェース７において外部からの電力供給がないモバイル環境で携帯電話１が使用される際の内部電源として、バッテリー（または蓄電池）８が設けられている。２つの電源７と８との間で切換えを行い、破線で示されているように携帯電話１の各構成要素に電力を供給するため、電源切換スイッチ９が設けられている。電源切換スイッチ９は、外部電源が電源用インターフェース７に接続されている場合には、その電源用インターフェース７で給電される電力を供給するようにされている。そうでない場合には、バッテリー８のバッテリー電力が使用される。携帯電話１の各構成要素の制御のため、制御ユニット１０が設けられている。
【００２６】
ＳＦＦＯドライブ５のさらなる詳細は、図２のブロック図に示されている。ドライブ５は、データの入出力のため、携帯電話１のバス２に接続されたデータインターフェース５１を含んでいる。ドライブ５はさらに、ドライブ５の電力供給のため、携帯電話１の電源切換スイッチ９に接続された電源用インターフェース５２を含んでいる。
【００２７】
この実施形態ではＳＦＦＯディスクである記録担体５５へのデータ書込中において、電源用インターフェース５２で供給されている電力に応じて、読出／書込ユニット５４を異なる書込モード間で切り換えるため、モード切換スイッチ５３が設けられている。さらに、ディスク５５上へのデータの書込先のアドレスを制御するため、アドレス制御手段５６が設けられている。
【００２８】
以下、本発明に従う記録装置の作用および記録方法を、図３のフローチャートを参照してより詳細に説明する。書込要求（ステップＳ１）に応答して、読出／書込ユニット５４は、結晶領域と非結晶領域との位置に関する情報を含む状態情報を、記録担体５５から読み出す（ステップＳ２）。記録装置５の電力モードと、記録担体５５上の結晶領域の利用可能状況とに応じて、書込モード（特に書込速度）と、データを書き込むべき位置とが決定される。
【００２９】
まず、モード切換スイッチ５３によって、記録装置５がどちらの電力モードにあるかが確認される（ステップＳ３）。この確認は、電源用インターフェース５２で供給されている電力レベルの確認、または、電源用インターフェース５２において受信される、電力モードを識別する情報の確認によって行うことができる。あるいは、特定の電力モードへの切換えをモード切換スイッチ５３に指示するコマンドが、外部装置からモード切換スイッチへと送信されてもよい。記録装置５が低電力モードにある場合、たとえばバッテリーから給電を受けている場合には、モード切換スイッチ５３は、読出／書込ユニット５４を低速モードに切り換える（ステップＳ４）。この低速モードは、データが、低速の書込速度で記録担体５５上に書き込まれることを意味する。好ましい実施形態によれば、相変化型ディスク５５の結晶化速度は、この低速の書込動作に合わせて調整されている。
【００３０】
記録装置５が高電力モードにある場合、データの書込みに利用可能な結晶領域が記録担体５５上にあるか否か、すなわちデータの少なくとも一部の書込みに利用可能な、書込みがなされていない領域が記録担体５５上に十分存在するか否かが確認される（ステップＳ５）。書込みがなされていない領域が十分存在しない場合には、再び低速モードが使用される（ステップＳ４）。一方、書込みがなされていない領域が十分存在する場合には、読出／書込ユニット５４は、より高速の書込速度でディスク５５上にデータを書き込むための、高速モードに切り換えられる（ステップＳ６）。
【００３１】
低速モードではさらに、上書きに利用可能な非結晶領域があるか否か、たとえば非結晶領域に書き込まれているデータのいくらかを上書きすることが可能であるか否かが、確認されなくてはならない（ステップＳ７）。上書きに利用可能な非結晶領域がある場合には、データは、かかる非結晶領域内に、低速の書込速度で書き込まれる（すなわち上書きされる）（ステップＳ８）。一方、上書きに利用可能な非結晶領域がない場合には、データは、結晶領域内（すなわち空き領域内）に、低速の書込速度で書き込まれる（ステップＳ９）。高速モード（ステップＳ６）では、データはやはり結晶領域内に書き込まれるが（ステップＳ９）、高電力モードにおいては十分な電力（たとえば電源コンセントから供給される電力）が利用可能であるので、書込みは高速の書込速度で行われる。最後に、いずれの場合においても、状態情報が更新され（ステップＳ１０）、たとえば、どの領域が非結晶領域であり、どの領域が結晶領域であるかが登録される。更新された状態情報も、記録担体５５上に書き込まれる。
【００３２】
図４ａおよび４ｂは、記録担体上に状態情報を記憶する２つの異なるやり方を示している。図示されているのは、光ディスクの種々のデータ領域であり、これには、リードイン領域ＬＩ、ユーザー領域ＵＡ、およびリードアウト領域ＬＯが含まれる。ユーザーデータは通常、最も低位のアドレスから開始して（すなわち図４ａおよび４ｂに示されているユーザー領域ＵＡの左端から開始して）、順次、ユーザー領域ＵＡ内に書き込まれる。空のディスクは完全に結晶状態であり、ユーザー領域ＵＡの全体が、高速記録に利用可能である。データがディスク上に書き込まれる際、ファイルシステムは、それまでにデータがディスク上に書き込まれた最も高位のアドレスである番号Ｘの記録をとる。Ｘより高位のすべてのアドレスは、書込みがなされておらず、結晶相にあるアドレスである。したがって、Ｘより高位のユーザー領域は、データの高速記録に利用可能である。そのため、この番号Ｘは、状態情報として（好ましくはファイル割当表（ｆｉｌｅ  ａｌｌｏｃａｔｉｏｎ  ｔａｂｌｅ；ＦＡＴ）の一部として）ディスク上に書き込まれる。
【００３３】
ドライブが低電力モードにある場合には、標準的な書込手続きがなされる。すなわち、書込みは通常の書込速度で行われる。データの書込後、アドレスＸが更新される。ドライブが高電力モードにある場合には、アドレスＸが重要である。ユーザーがディスクにデータを書き込みたいときには、ファイルシステムの割当ルールが変わる。すると、高速領域内に利用可能なスペースが残存している限り、データは、アドレスＸより高位の個所に高速モードで書き込まれる。その領域が満杯であり、かつ書込みを要するデータがまだある場合には、ファイルシステムは、アドレスＸより低位において未だ利用可能であるフリースペースに切換えを行う。しかしながら、これらの領域は必ずしも結晶相にはなく、したがって低速で書込みを行う必要がある。
【００３４】
図４ｂに示された別の１つの実施形態では、より全般的なアドレス表（ａｄｄｒｅｓｓ  ｔａｂｌｅ；ＡＴ）が、たとえばディスク情報ブロック内において規定される（すなわち、リードイン領域ＬＩの書換可能な部分に書き込まれるか、ユーザー領域ＵＡ内のファイル割当表の一部として書き込まれる）。この表の中には、各々すべての論理ブロックの状態が管理されたリストが保持されている。すなわち、各論理ブロックについて、その論理ブロックが結晶状態（書込みがなされていない状態）であるか、非結晶状態（書込済状態）であるかが示される。かかる表が、図５に示されている。状態情報には、１ビットで十分である。たとえば、ビット０が結晶状態のブロックを示し、ビット１が非結晶状態のブロックを示すというようにすることができる。この実施形態は、図４ｂに示すように、結晶（ｃｒ）領域と非結晶（ｎ−ｃｒ）領域とが、ユーザー領域ＵＡ全体に分散されている場合に、特に有用である。
【００３５】
図６には、記録装置５の別の１つの実施形態が示されている。この実施形態では、電源切換スイッチ５７およびバッテリー５８（または蓄電池）が、記録装置５の内部に設けられている。したがって、電源切換スイッチ５７は、図１に示した電源切換スイッチ９と同一の機能を有している。さらなる変更も可能であり、たとえば電力モードおよび書込モードの数の変更等が可能である。さらに、本発明は、図に示した実施形態と異なる、他の記録装置の実施形態または他の外部装置にも適用可能である。
【図面の簡単な説明】
【００３６】
【図１】本発明に従う携帯電話を示した図
【図２】本発明に従う記録装置の第１の実施形態を示した図
【図３】本発明に従う記録方法を図解したフローチャート
【図４ａ】本発明に従う記録担体上のデータ領域のレイアウトを示した図
【図４ｂ】本発明に従う記録担体上のデータ領域のレイアウトを示した図
【図５】図４ｂのデータ領域のレイアウトにおいて使用される、アドレス表を示した図
【図６】本発明に従う記録装置の別の１つの実施形態を示した図
【図１】
2006520510.tif 000003
【図２】
2006520510.tif 000004
【図３】
2006520510.tif 000005
【図４ａ】
2006520510.tif 000006
2006520510.tif 000007
【図５】
2006520510.tif 000008
【図６】
2006520510.tif 000009
【国際調査報告】
2006520510.tif 000010
2006520510.tif 000011
2006520510.tif 000012
2006520510.tif 000013
2006520510.tif 000014